(57)【要約】【課題】ゴミ袋のいろいろな大きさに十分に対応できるゴミ袋簡易保持枠ゴミ箱を提供する【解決手段】ゴミ袋１は開口３して上向きにし、開口３の縁部５を外側へ折り返した状態で保持される。４本の保持アーム９の上端が、ゴミ袋１の折り返した縁部５へ挿入される。保持アーム９の下端は、回動プレート１１に固定される。回動プレート１１は略水平に配置され、ベース部１３へ固定される。回動プレート１１とベース部１３の間には、回動プレート１１の回動した姿勢を維持する回動姿勢維持手段１５が設けられる。これにより、ゴミ袋１の大きさに対応する。また、保持アーム９の下端が回動プレート１１へ固定される固定位置を変更できる変更手段１７を有する。これにより、ゴミ袋１の大きさに対応する機能をより高める。【選択図】図１
2011178507.tif 000002
【特許請求の範囲】
【請求項１】
ゴミ袋を開口して上向きにし縁部を外側へ折り返した状態で保持するために、前記開口の折り返した縁部へ上端が挿入され開口を保持する複数の保持アームと、前記保持アームの下端が固定され略水平に配置される回動プレートと、この回動プレートを固定するベース部と、前記回動プレートを前記ベース部上の回動軸に対して略水平面内で３６０度回動可能にし回動した姿勢を維持することで前記ゴミ袋の大きさに対応する回動姿勢維持手段と、を有することを特徴とするゴミ袋簡易保持枠ゴミ箱。
【請求項２】
前記保持アームは、弾性を有して撓る材料からなることを特徴とする請求項１に記載のゴミ袋簡易保持枠ゴミ箱。
【請求項３】
前記保持アームの下端が前記回動プレートへ固定される固定位置を変更できる変更手段を有することを特徴とする請求項１、または２に記載のゴミ袋簡易保持枠ゴミ箱。
【請求項４】
前記回動姿勢維持手段は、前記回動プレートの水平方向の端部に形成された正多角形断面形状を有するプレート側凸部またはプレート側凹部と、前記プレート側凸部またはプレート側凹部に嵌合するために前記ベース部上に形成された前記正多角形断面形状を有するベース側凹部またはベース側凸部と、を有して前記回動軸を構成することを特徴とする請求項１、２、または３に記載のゴミ袋簡易保持枠ゴミ箱。
【請求項５】
前記変更手段は、保持アームの下端に形成された所定断面形状を有するアーム側凸部またはアーム側凹部と、このアーム側凸部またはアーム側凹部に選択的に嵌合するために前記回動プレート上に複数が形成され前記所定断面形状を有するプレート側選択凹部またはプレート側選択凸部と、を有することを特徴とする請求項３、または４に記載のゴミ袋簡易保持枠ゴミ箱。
【請求項６】
前記回動姿勢維持手段の正多角形断面形状と前記変更手段の所定断面形状とが、同じ形状であることを特徴とする請求項５に記載のゴミ袋簡易保持枠ゴミ箱。
【請求項７】
前記ベース部は、四角形の枠と、この枠を中央から分割する分割線と、前記分割した一方の部分を回動して折り畳むための折畳軸と、を有することを特徴とする請求項１、２、３、４、５、または６記載のゴミ袋簡易保持枠ゴミ箱。
【発明の詳細な説明】
【技術分野】
【０００１】
この発明は、ゴミ袋を開口して上向きに保持するための保持機構に関する。
【背景技術】
【０００２】
下記特許文献１には、ゴミ袋を開口して上向きに保持するため、上向きの４本のアームを有する保持機構が開示される。この保持機構は、４本のアームを固定するベース部のフレームが概略Ｘ字状をなし、このＸ字状が中央の回動軸周りに開閉することで、ゴミ袋の開口の大きさを変化できる。
【先行技術文献】
【特許文献】
【０００３】
【特許文献１】実用新案登録第3126908号
【発明の概要】
【発明が解決しようとする課題】
【０００４】
しかしながら、特許文献１のＸ字状のフレームを最大限開閉しても、Ｘ字状の４つの先端点を結んだ四角形を構成する線分の長さは、それほど変わらないので、ゴミ袋の大きさに十分には対応できない。
この発明は、以上の問題点を解決するために、ゴミ袋のいろいろな大きさに十分に対応できるゴミ袋簡易保持枠ゴミ箱を提供することを目的とする。
【課題を解決するための手段】
【０００５】
以上の課題を解決するために、第一発明は、ゴミ袋を開口して上向きにし縁部を外側へ折り返した状態で保持するために、前記開口の折り返した縁部へ上端が挿入され開口を保持する複数の保持アームと、前記保持アームの下端が固定され略水平に配置される回動プレートと、この回動プレートを固定するベース部と、前記回動プレートを前記ベース部上の回動軸に対して略水平面内で３６０度回動可能にし回動した姿勢を維持することで前記ゴミ袋の大きさに対応する回動姿勢維持手段と、を有することを特徴とするゴミ袋簡易保持枠ゴミ箱である。
【０００６】
第二発明は、さらに、前記保持アームは、弾性を有して撓る材料からなることを特徴とするゴミ袋簡易保持枠ゴミ箱である。
第三発明は、さらに、前記保持アームの下端が前記回動プレートへ固定される固定位置を変更できる変更手段を有することを特徴とするゴミ袋簡易保持枠ゴミ箱である。
第四発明は、さらに、前記回動姿勢維持手段は、前記回動プレートの水平方向の端部に形成された正多角形断面形状を有するプレート側凸部またはプレート側凹部と、前記プレート側凸部またはプレート側凹部に嵌合するために前記ベース部上に形成された前記正多角形断面形状を有するベース側凹部またはベース側凸部と、を有して前記回動軸を構成することを特徴とするゴミ袋簡易保持枠ゴミ箱である。
【０００７】
第五発明は、さらに、前記変更手段は、保持アームの下端に形成された所定断面形状を有するアーム側凸部またはアーム側凹部と、このアーム側凸部またはアーム側凹部に選択的に嵌合するために前記回動プレート上に複数が形成され前記所定断面形状を有するプレート側選択凹部またはプレート側選択凸部と、を有することを特徴とするゴミ袋簡易保持枠ゴミ箱である。
【０００８】
第六発明は、さらに、前記回動姿勢維持手段の正多角形断面形状と変更手段の所定断面形状とが、同じ形状であることを特徴とするゴミ袋簡易保持枠ゴミ箱である。
第七発明は、さらに、前記ベース部は、四角形の枠と、この枠を中央から分割する分割線と、前記分割した一方の部分を回動して折り畳むための折畳軸と、を有することを特徴とするゴミ袋簡易保持枠ゴミ箱である。
【発明の効果】
【０００９】
第一、第二、第三、第四、第五、第六、または第七発明によれば、回動プレートを回動することで保持アームの位置を互いに近づければ、小さなゴミ袋に対応できる。逆に、保持アームの位置を互いに遠ざければ、大きなゴミ袋に対応できる。回動プレートは略水平面内で３６０度回動可能であるので、対応できる小さなゴミ袋と大きなゴミ袋の差は十分に大きくでき、よって、ゴミ袋の大きさに十分に対応できる。
【００１０】
第二、第三、第四、第五、第六、または第七発明によれば、さらに、保持アームは、弾性を有するので、上端をゴミ袋の開口の折り返した縁部へ挿入した状態で、撓り、開口をしっかりと開いた状態に維持できる。また、ゴミ袋の大きさが少し異なる場合に、回動プレートを回動させなくても、対応できる。
【００１１】
第三、第四、第五、第六、または第七発明によれば、さらに、保持アームの下端が回動プレートへ固定される固定位置を変更できることで、この固定位置と回動軸との距離を変更することができ、距離を大きくすれば、対応できる小さなゴミ袋をより小さくできる。同様に、対応できる大きなゴミ袋をより大きくできる。このため、対応できるゴミ袋の大きさの種類を多様化できる。
【００１２】
第四、第五、第六、または第七発明によれば、さらに、正多角形断面形状を有する凸部と凹部との嵌合により、回動プレートの回動姿勢を維持できるので、回動姿勢維持手段の構造を簡便にでき、ゴミ袋簡易保持枠ゴミ箱の製造コストを抑えられる。
第五、第六、または第七発明によれば、さらに、所定断面形状を有する凸部または凹部との嵌合により、保持アームの下端が回動プレートへ固定される固定位置を変更できるので、変更手段の構造を簡便にでき、ゴミ袋簡易保持枠ゴミ箱の製造コストを抑えられる。
第六、または第七発明によれば、さらに、回動姿勢維持手段の正多角形断面形状と前記変更手段の所定断面形状とが、同じ形状であることから、ゴミ袋簡易保持枠ゴミ箱の製造コストを抑えられる。
第七発明によれば、さらに、ベース部は折り畳むことができるので、ゴミ袋簡易保持枠ゴミ箱の持ち運びや収納が便利になる。
【図面の簡単な説明】
【００１３】
【図１】この発明の一実施形態を示す全体斜視図である。
【図２】図１の使用状態の正面図である。
【図３】（Ａ）は図１のＩＩＩＡ部の拡大図、（Ｂ）は図１のＩＩＩＢ部の拡大図、（Ｃ）は図１のＩＩＩＣ部の拡大図、（Ｄ）は図１のＩＩＩＤ部の拡大図、（Ｅ）は図１のＩＩＩＥ部の拡大図、（Ｆ）は図１のＩＩＩＦ部の拡大図である。
【図４】（Ａ）は、図１のＩＶ部の拡大図であり、回動プレートの機能を鎖線で示す図、（Ｂ）は、（Ａ）の正面図である。
【発明を実施するための形態】
【００１４】
この発明の一実施形態を、図１から図４に示す。
［全体概略］
図１および図２に示すように、ゴミ袋１は開口３して上向きにし、開口３の縁部５を外側へ折り返した状態で、この実施形態のゴミ袋簡易保持枠ゴミ箱７によって保持される。すなわち、４本の保持アーム９の上端が、ゴミ袋１の開口３の折り返した縁部５へ、挿入される。これらの保持アーム９の下端は、回動プレート１１に固定される。回動プレート１１は略水平に配置される。これらの回動プレート１１は、ベース部１３へ固定される。回動プレート１１とベース部１３の間には、回動プレート１１の回動した姿勢を維持する回動姿勢維持手段１５が設けられる。そして、回動プレート１１を、ベース部１３上の回動軸に対して略水平面内で３６０度回動可能にし、回動した姿勢を維持する。これにより、ゴミ袋１の大きさに対応する。また、保持アーム９の下端が回動プレート１１へ固定される固定位置を変更できる変更手段１７を有する。これにより、ゴミ袋１の大きさに対応する機能をより高める。
【００１５】
［ゴミ袋１］
ゴミ袋１には、市販のゴミ袋１、レジ袋を利用するもの、ビニール袋などが使われる。
［保持アーム９］
図３に示すように、保持アーム９は、アーム上部１９とアーム下部２１とに、上下２つに分割されうる。アーム上部１９の上端には、上部球２３が形成され、ゴミ袋１を傷付けないように配慮されている。アーム上部１９の下端には、四角柱状の連結凸部２５が形成され、アーム下部２１の上端に形成される四角柱状の連結凹部２６へ嵌合し、アーム上部１９とアーム下部２１との連結が行なわれる。連結凸部２５の周囲は、球形状の周囲を成し、中部球２７となっている。
【００１６】
この分割により、ゴミ袋簡易保持枠ゴミ箱７の持ち運びや収納が便利になる。また、ゴミ袋１の上下の長さが短いときには、アーム下部２１のみを使用することができる。その際には、上部球２３のかわりに中部球２７が、ゴミ袋１を傷付けないように働く。
アーム上部１９、または、アーム上部１９とアーム下部２１とは、弾性を有して柔軟に撓る材料からなる。撓ることで、開口３をしっかりと開いた状態に維持できる。そして、折り返した縁部５から外れにくい。また、ゴミ袋１の大きさが少しだけ異なる場合に、対応できる。
【００１７】
［回動プレート１１］
回動プレート１１は、水平に配置され、細長い板材で、上下に貫通する２つの凹部２９Ａと、貫通しない凹部２９Ｂとが略等間隔で形成される。これらの３つの凹部２９Ａ，２９Ｂは、後述する変更手段１７のプレート側選択凹部２９となる。貫通しない凹部２９Ｂの下側には、後述する回動姿勢維持手段１５のプレート側凸部３１となる。これら３つの凹部２９Ａ，２９Ｂと1つの凸部３１は、１０個の突起を有する星形の断面形状を有する。
【００１８】
［回動姿勢維持手段１５］
回動姿勢維持手段１５は、回動プレート１１の水平方向の端部に形成された正多角形断面形状を有するプレート側凸部３１と、このプレート側凸部３１に嵌合するために、ベース部１３上に形成された正多角形断面形状を有するベース側凹部３３と、を有して回動軸３５を構成する。この正多角形断面形状は、この実施形態では、１０個の突起３７を有する星形である。回動は、嵌合を外して手動で行なう。任意の星形突起の数だけ回動させて、再び嵌合すれば、回動姿勢が維持される。
【００１９】
［変更手段１７］
変更手段１７は、保持アーム９の下端に形成された所定断面形状を有するアーム側凸部３９と、このアーム側凸部３９に選択的に嵌合するために、回動プレート１１上に３つ形成され所定断面形状を有するプレート側選択凹部２９と、を有して構成される。この所定断面形状は、回動姿勢維持手段１５の正多角形断面形状と、すなわち１０個の突起３７を有する星形と、同じ形状である。
【００２０】
［ベース部１３］
図４に示すように、ベース部１３は、折り畳みが可能である。すなわち、開いた状態で四角形の枠４１を有する。そして、この枠４１を中央から分割する分割線４３があり、分割した一方の部分４１Ａを回動（図４（Ｂ）矢印参照）して折り畳むための折畳軸４５が、分割した他方の部分４１Ｂに設けられる。折り畳みは手動で行なわれる。四角形の枠４１の下側４隅には、脚４７が設けられる。
【００２１】
「実施形態の効果」
以上の実施形態によれば、以下の作用効果を得る。
（１）図１、図４に示すように、回動プレート１１を回動する（図中一点鎖線の矢印参照）ことで、保持アーム９の位置を互いに最も近づければ（図中、回動プレート１１を示す８つの一点鎖線のうち、内側の４つの一点鎖線で示す）、小さなゴミ袋１に対応できる（図中、ゴミ袋１を示す２つの二点鎖線のうち、内側の一点鎖線で示す）。
【００２２】
逆に、保持アーム９の位置を互いに最も遠ざければ（図中、回動プレート１１を示す８つの一点鎖線のうち、外側の４つの一点鎖線で示す）、大きなゴミ袋１に対応できる（図中、ゴミ袋１を示す２つの二点鎖線のうち、外側の一点鎖線で示す）。
このようにして、対応できる小さなゴミ袋１と大きなゴミ袋１の差は十分に大きくできる。また、回動プレート１１は略水平面内で３６０度回動可能であるので、二つのどちらの方向からでも１８０度回転させることで、最も近づけた位置と、最も遠ざけた位置を得られる。
【００２３】
さらに、回動プレート１１の回動位置は、任意の星形突起の数だけ回動させることで、いろいろの位置にすることができる。また、各回動プレート１１の回動位置を、互いに異なるものとすることができる。このようにして、対応できる小さなゴミ袋１と大きなゴミ袋１の差は、細かく、バリュエーションを多くでき、多様なゴミ袋１の大きさに十分に対応できる。
【００２４】
（２）図２に示すように、保持アーム９は、弾性を有するので、上端をゴミ袋１の開口３の折り返した縁部５へ挿入した状態で、撓り（図１中の上方にある一点鎖線の矢印参照）、開口３を弛ませずに、しっかりと開いた状態に維持できる。また、撓りの幅により、ゴミ袋１の大きさが少しだけ異なる場合には、回動プレート１１を回動させなくても、対応できる。また、開口３を弛ませずに、テンションを掛ける事で、ゴミ袋折り返した縁部５が外れ、ズレ落ちてしまうのを防ぐことができる。
【００２５】
（３）保持アーム９の下端が回動プレート１１へ固定される固定位置を変更できることで、この固定位置と回動軸３５との距離を変更することができ、この距離を大きくすれば、対応できる小さなゴミ袋１をより小さくできる。同様に、対応できる大きなゴミ袋１をより大きくできる。図４では、この距離は大きく設定されている。しかし、より小さく設定することも可能である。このため、対応できるゴミ袋１の大きさの種類を多様化できる。
【００２６】
（４）正多角形断面形状、すなわち１０個の突起３７を有する星形を有する凸部と凹部との嵌合により、回動プレート１１の回動姿勢を維持できるので、回動姿勢維持手段１５の構造を簡便にでき、ゴミ袋簡易保持枠ゴミ箱７の製造コストを抑えられる。
（５）所定断面形状、すなわち、この実施形態では１０個の突起３７を有する星形を、有する凸部または凹部との嵌合により、保持アーム９の下端が回動プレート１１へ固定される固定位置を変更できるので、変更手段１７の構造を簡便にでき、ゴミ袋簡易保持枠ゴミ箱７の製造コストを抑えられる。
【００２７】
（６）回動姿勢維持手段１５の正多角形断面形状と前記変更手段１７の所定断面形状とが、同じ形状、すなわち１０個の突起３７を有する星形であることから、ゴミ袋簡易保持枠ゴミ箱７の製造コストを抑えられる。
（７）ベース部１３は折り畳むことができるので、ゴミ袋簡易保持枠ゴミ箱７の持ち運びや収納が便利になる。
（８）図１、図４に示すものは、4つの回動プレート１１の回動が統一され、袋の開口の形状が整った正四角形をなすものであった。しかし、4つの回動プレート１１の回動は、それぞれ独立して行なえ、袋の開口の形状が、他の不規則な四角形をなすものとすることができる。このようにして、開口形状の変更を可能とすることで、ゴミ袋簡易保持枠ゴミ箱７の設置スペースの形状などに合わせ、最適な開口形状を得ることができる。
「他の実施形態」
以上の実施形態では、保持アーム９は４本設けられるものであったが、他の実施形態では、他の本数でも構わない。例えば５本以上設けても良い。
以上の実施形態では、回動姿勢維持手段１５は、各回動プレート１１とベース部１３との間に全て設けられ、よって合計４つ設けられるものであったが、他の実施形態では、この数を変えても良い。例えば３つの回動プレート１１とベース部１３との間に合計３つ設けられるものとしても良い。３つの回動プレート１１を回動することで、保持アーム９の位置を互いに近づけたり、逆に、遠ざけたりすることで、ゴミ袋１の大きさに対応できる。
【００２８】
以上の実施形態では、回動姿勢維持手段１５は、回動プレート１１に凸部を設け、ベース部１３上に凹部を設けるものであったが、他の実施形態では、この関係はもちろん逆でも構わない。すなわち、回動プレート１１に凹部を設け、ベース部１３上に凸部を設けるものであっても良い。
以上の実施形態では、回動姿勢維持手段１５の正多角形断面形状は、１０個の突起３７を有する星形であったが、他の実施形態では、他のいろいろな正多角形断面形状が採用できる。正方形、正六角形、正七角形、等でも良い。また、正多角形断面形状が星形である場合にも、突起３７は、９個以下でも良く、１１個以上でも良い。
【００２９】
以上の実施形態では、変更手段１７は、保持アーム９に凸部を設け、回動プレート１１上に複数の凹部を設けるものであったが、他の実施形態では、この関係はもちろん逆でも構わない。すなわち、保持アーム９に凹部を設け、回動プレート１１上に複数の凸部を設けるものであっても良い。
【００３０】
以上の実施形態では、変更手段１７の所定断面形状は、回動姿勢維持手段１５の正多角形断面形状と、すなわち１０個の突起３７を有する星形と同じ形状であったが、他の実施形態では、同じでなくても構わない。正方形、正六角形、正七角形、等でも良い。また、正多角形断面形状が星形である場合にも、突起３７は、９個以下でも良く、１１個以上でも良い。
【符号の説明】
【００３１】
１…ゴミ袋、３…開口、５…縁部、７…ゴミ袋簡易保持枠ゴミ箱、９…保持アーム、１１…回動プレート、１３…ベース部、１５…回動姿勢維持手段、１７…変更手段、１９…アーム上部、２１…アーム下部、２３…上部球、２５…連結凸部、２６・・連結凹部、２７…中部球、２９…プレート側選択凹部、３１…プレート側凸部、３３…ベース側凹部、３５…回動軸、３７…突起、３９…アーム側凸部、４１…枠、４３…分割線、４５…折畳軸、４７…脚。
【図１】
2011178507.tif 000003
【図２】
2011178507.tif 000004
【図３】
2011178507.tif 000005
【図４】
2011178507.tif 000006